(57)【要約】【課題】複数のページ画像の間に，新しいページ画像が追加された場合に，複数のページ画像に貼付されている画像の流れに沿う画像を新しいページに貼付できるページ画像表示制御システム，ページ画像表示制御方法およびそのプログラムを提供する。【解決手段】ページ画像Ｐ１からＰ10のそれぞれには，シーンが割り当てられており，割り当てられているシーンに含まれる画像が貼付されている。隣接するページ画像の間には，ページ画像追加指示領域41が表示されている。ページ画像追加指示領域41がクリックされると，クリックされたページ画像追加指示領域41を挟む２つのページ画像の間に新しいページ画像が表示される。新しいページ画像には，それらの２つのページ画像のうち，第１のページ画像に割り当てられているシーンまたは第２のページ画像に割り当てられているシーンに含まれる画像が貼付される。【選択図】図７
2020144874.tif 000002
【特許請求の範囲】
【請求項１】
表示装置の表示画面に複数の画像からなる複数のページ画像を表示させる第１のページ画像表示制御手段，
上記第１のページ画像表示制御手段の制御により表示画面に表示されている複数のページ画像のそれぞれのページ画像に対応して，ページ画像削除指示領域を上記表示装置の表示画面に表示させるページ画像削除指示領域表示制御手段，および
上記ページ画像削除指示領域表示制御手段の制御により表示されているページ画像削除指示領域にページ画像削除指示が与えられたことに応じて，ページ画像削除指示が与えられたページ画像削除指示領域に対応したページ画像を上記表示装置の表示画面から削除させるページ画像削除制御手段，
を備えたページ画像表示制御システム。
【請求項２】
上記複数のページ画像のそれぞれには，上記複数の画像を分割する複数のシーンの少なくとも一つが割り当てられて、
上記ページ画像削除制御手段の制御により削除されたページ画像に割り当てられていたシーンを，上記削除されたページ画像を挟んでいた第１のページ画像および第２のページ画像の少なくとも一方に追加して割り当てる、
請求項１に記載のページ画像表示制御システム。  
【請求項３】
上記複数のページ画像のそれぞれに割り当てられたシーンに含まれる画像を用いてページ画像を生成するページ画像生成手段を更に備え、
上記ページ画像生成手段は、上記削除されたページ画像に割り当てられていたシーンが追加して割り当てられた第１のページ画像および第２のページ画像の少なくとも一方を、すでに割り当てられているシーンと追加して割り当てられたシーンとに含まれる画像を用いて生成する，
請求項２に記載のページ画像表示制御システム。
【請求項４】
上記ページ画像削除手段によって削除されたページ画像に割り当てられていたシーンと同一のシーンが他のページ画像に割り当てられていた場合には，上記削除されたページ画像に割り当てられていたシーンに含まれる画像から画像を抽出し，抽出した画像を用いて上記他のページ画像を再度生成する，
請求項１に記載のページ画像表示制御システム。  
【請求項５】
上記複数のページ画像のそれぞれには，上記複数の画像を分割する複数のシーンの少なくとも一つが割り当てられて、
上記第１のページ画像表示制御手段の制御により上記表示装置の表示画面に表示される複数のページ画像のうち上記ページ画像削除制御手段によって削除されたページ画像を挟む２つのページ画像を含む複数のページ画像を指定するページ画像指定手段，ならびに  
上記ページ画像削除制御手段によって削除されたページ画像に割り当てられていたシーンおよび上記ページ画像指定手段によって指定された複数のページ画像に割り当てられている複数のシーンのそれぞれのシーンを，上記ページ画像指定手段によって指定された複数のページ画像に新たに割り当てるシーン割当手段をさらに備える，
請求項１に記載のページ画像表示制御システム。
【請求項６】
上記複数のページ画像のそれぞれを割り当てられたシーンに含まれる画像を用いてページ画像を生成するページ画像生成手段を更に備え、
上記ページ画像生成手段は、上記シーン画像指定手段で指定された複数のページ画像のそれぞれを、上記シーン割当手段によって新たに割り当てられたシーンに含まれる画像を用いて生成する，
請求項５に記載のページ画像表示制御システム。
【請求項７】
上記ページ画像指定手段は，
上記第１のページ画像表示制御手段の制御により上記表示装置の表示画面に表示される複数のページ画像のすべてを指定する，
請求項５に記載のページ画像表示制御システム。  
【請求項８】
複数の画像を上記表示装置の表示画面に表示させる画像表示制御手段，
上記画像表示制御手段の制御により表示画面に表示されている複数の画像を，シーンごとに異なる複数の領域に表示する上記領域の仕切り線を上記表示装置の表示画面に表示させる仕切り線表示制御手段，および
上記仕切り線表示制御手段の制御により表示画面に表示されている仕切り線により仕切られている上記領域に含まれている画像から抽出された画像と台紙画像とからなるページ画像を，複数生成するページ画像生成手段をさらに備え，
上記第１のページ画像表示制御手段は，
上記ページ画像生成手段によって生成された複数のページ画像を上記表示装置の表示画面に表示させ，
上記画像表示制御手段は，
上記ページ画像削除手段によって削除されたページ画像に対応付けられていた画像が含まれていた上記領域を，他の領域と区別して表示する，
請求項１に記載のページ画像表示制御システム。
【請求項９】
上記画像表示手段は、上記ページ画像削除手段によって削除されたページ画像に対応付けられていた画像が含まれていた上記領域の輝度を，他の領域の輝度と区別して表示する，
請求項８に記載のページ画像表示制御システム。  
【請求項１０】
上記画像表示手段は、上記ページ画像削除手段によって削除されたページ画像に対応付けられていた画像が含まれていた上記領域の背景色を，他の領域の背景色と区別して表示する，
請求項８に記載のページ画像表示制御システム。
【請求項１１】
ページ画像表示制御手段が，表示装置の表示画面に複数の画像からなる複数のページ画像を表示させ，
ページ画像削除指示領域表示制御手段が，上記ページ画像表示制御手段の制御により表示画面に表示されている複数のページ画像のそれぞれのページ画像に対応して，ページ画像削除指示領域を上記表示装置の表示画面に表示させ，
ページ画像削除制御手段が，上記ページ画像削除指示領域表示制御手段の制御により表示されているページ画像削除指示領域にページ画像削除指示が与えられたことに応じて，ページ画像削除指示が与えられたページ画像削除指示領域に対応したページ画像を上記表示装置の表示画面から削除する，
ページ画像表示制御方法。  
【請求項１２】
ページ画像表示制御システムのコンピュータを制御するコンピュータが読み取り可能なプログラムであって，
表示装置の表示画面に複数の画像からなる複数のページ画像を表示させ，
表示画面に表示されている複数のページ画像のそれぞれのページ画像に対応して，ページ画像削除指示領域を上記表示装置の表示画面に表示させ，
表示されているページ画像削除指示領域にページ画像削除指示が与えられたことに応じて，ページ画像削除指示が与えられたページ画像削除指示領域に対応したページ画像を上記表示装置の表示画面から削除するページ画像表示制御システムのコンピュータ制御プログラム。
【請求項１３】
請求項１２に記載のプログラムを格納した記録媒体。
【発明の詳細な説明】
【技術分野】
【０００１】
この発明は，ページ画像表示制御システム，ページ画像表示制御方法およびそのプログラムに関する。
【背景技術】
【０００２】
多数の画像からユーザが画像を選択して，ユーザによって選択された画像を用いてアルバムを作成することが実現されている。多数の画像の中から所望の画像をユーザが選択するのは困難であるため，画像抽出アルゴリズムにしたがってコンピュータが画像を抽出し，抽出された画像を用いて複数ページから構成されるアルバムを作成することが行われている。このようなシステムにおいて，見開きで２ページ分の電子アルバムを表示するもの(特許文献１)，アルバムの各ページを一覧で表示するものなどがある(特許文献２)。また，アルバムにページを追加したり，アルバムからページを削除したりすると，見開きページにまたがっている画像がずれてしまうために，そのようなずれを防止するものも考えられている(特許文献３)。さらに，マルチメディアの編集としては，楽曲の流れに沿った画像進行のシーケンス情報を記録するものがある(特許文献４)。
【先行技術文献】
【特許文献】
【０００３】
【特許文献１】特開2002-178588号公報
【特許文献２】特開2008-97150号公報
【特許文献３】特開2009-60210号公報
【特許文献４】特開平11-341350号公報
【発明の概要】
【発明が解決しようとする課題】
【０００４】
アルバムを構成するページの間に新たなページを挿入することを考えた場合に，アルバムに貼り付けられている画像の一連の流れに無関係に，その新たなページに画像が貼り付けられてしまうと，画像の一連の流れが損なわれてしまう。特許文献１に記載のものは，見開きの２ページを表示するものであるから，アルバムに新たなページを挿入した場合のこと自体が考えられていない。特許文献２に記載のものは，頁を追加することができるが，アルバムに貼り付けられている画像の流れについては考えられていない。特許文献３に記載のものはページを追加または削除した場合に，ページにまたがっている画像のずれを防止するものであり，アルバムに貼り付けられている画像の流れについて考えられていない。さらに，特許文献４に記載のものは，楽曲の流れに沿った形式での画像進行のシーケンス情報を記録するものであり，アルバムに新たなページを挿入した場合のこと自体が考えられていない。アルバムを構成するページを削除する場合には，削除しようとするページが分かりやすくなければ，削除しようとするページ以外のページが削除されてしまうことがある。
【０００５】
この発明は，複数のページ画像の間に，新しいページ画像が追加された場合に，複数のページ画像に貼付されている画像の流れに沿う画像を新しいページに貼付できるようにすることを目的とする。また，この発明は，削除するページ画像を分かり易くすることを目的とする。
【課題を解決するための手段】
【０００６】
第１の発明によるページ画像表示制御システムは，複数の画像がシーンごとに分割された場合における，分割されたシーンのうち割り当てられたシーンに含まれる画像が貼付さ
れているページ画像を，表示装置の表示画面に複数表示させる第１のページ画像表示制御手段，第１のページ画像表示制御手段の制御により表示画面に表示されている複数のページ画像のうち，隣接するページ画像の間にページ画像追加指示領域を表示させるページ画像追加指示領域表示制御手段，ならびにページ画像追加指示領域表示制御手段の制御により表示されているページ画像追加指示領域にページ画像追加指示が与えられたことに応じて，ページ画像追加指示が与えられたページ画像追加指示領域を挟む２つのページ画像の間に，２つのページ画像に含まれる第１のページ画像に割り当てられているシーンおよび２つのページ画像に含まれる第２のページ画像に割り当てられているシーンの少なくとも一方のシーンに含まれる画像が貼付される新しいページ画像を，表示装置の表示画面に表示させる第２のページ画像表示制御手段を備えていることを特徴とする。
【０００７】
この発明は，ページ画像表示制御システムに適したページ画像表示制御方法も提供している。すなわち，この方法は，第１のページ画像表示制御手段が，複数の画像がシーンごとに分割された場合における，分割されたシーンのうち割り当てられたシーンに含まれる画像が貼付されているページ画像を，表示装置の表示画面に複数表示させ，ページ画像追加指示領域表示制御手段が，第１のページ画像表示制御手段の制御により表示画面に表示されている複数のページ画像のうち，隣接するページ画像の間にページ画像追加指示領域を表示させ，第２のページ画像表示制御手段が，ページ画像追加指示領域表示制御手段の制御により表示されているページ画像追加指示領域にページ画像追加指示が与えられたことに応じて，ページ画像追加指示が与えられたページ画像追加指示領域を挟む２つのページ画像の間に，２つのページ画像に含まれる第１のページ画像に割り当てられているシーンおよび２つのページ画像に含まれる第２のページ画像に割り当てられているシーンの少なくとも一方のシーンに含まれる画像が貼付される新しいページ画像を，表示装置の表示画面に表示させる。
【０００８】
第１の発明は，ページ画像表示制御方法を実施するためのコンピュータが読み取り可能なプログラムおよびそのプログラムを格納した記録媒体も提供している。
【０００９】
２つのページ画像に含まれる第１のページ画像に割り当てられているシーンに含まれる画像の数と２つのページ画像に含まれる第２のページ画像に割り当てられているシーンに含まれる画像の数とのうち，画像の数が多い方のシーンから抽出された画像が，第２のページ画像表示制御手段によって表示装置の表示画面に表示させられる新しいページ画像に貼付されるようにしてもよい。
【００１０】
第２のページ画像表示制御手段によって表示装置の表示画面に表示させられる新しいページ画像に，第１のページ画像に割り当てられているシーンに含まれる画像が貼付される場合には，第１のページ画像に貼付される画像の抽出が再度行われ，かつ第２のページ画像表示制御手段によって表示装置の表示画面に表示させられる新しいページ画像に，第２のページ画像に割り当てられているシーンに含まれる画像が貼付される場合には，第２のページ画像に貼付される画像の抽出が再度行われるようにしてもよい。
【００１１】
第２のページ画像表示制御手段によって表示装置の表示画面に表示させられる新しいページ画像には，２つのページ画像に割り当てられているシーンに含まれる画像が貼付されるようにしてもよい。
【００１２】
２つのページ画像に貼付される画像の抽出が再度行われるようにしてもよい。
【００１３】
２つのページ画像に含まれる第１のページ画像に割り当てられているシーンと２つのページ画像に含まれる第２のページ画像に割り当てられているシーンとを，第１のシーン，第２のシーンおよび第３のシーンに分け，第１のシーンに含まれる画像を用いて第１のペ
ージ画像を生成し，第２のシーンに含まれる画像を用いて新しいページ画像を生成し，第３のシーンに含まれる画像を用いて第２のページ画像を生成するようにしてもよい。
【００１４】
２つのページ画像に含まれる第１のページ画像に割り当てられていた複数のシーンのうち一部のシーンを，第１のページ画像または新しいページ画像に割り当て，割り当てられた各シーンに含まれる画像を用いて第１のページ画像または新しいページ画像を生成するようにしてもよいし，２つのページ画像に含まれる第２のページ画像に割り当てられていた複数のシーンのうち一部のシーンを，第２のページ画像または新しいページ画像に割り当て，割り当てられた各シーンに含まれる画像を用いて第２のページ画像または上記新しいページ画像を生成してもよいし，２つのページ画像に割り当てられていた複数のシーンのうち一部のシーンを，第１のページ画像，第２のページ画像または新しいページ画像に割り当て，割り当てられた各シーンに含まれる画像を用いて第１のページ画像，第２のページ画像または新しいページ画像を生成してもよい。
【００１５】
第１のページ画像表示制御手段の制御により表示装置の表示画面に表示される複数のページ画像のうち２つのページ画像を含む複数のページ画像を指定するページ画像指定手段，ならびにページ画像指定手段によって指定された複数のページ画像に割り当てられている複数のシーンのそれぞれのシーンを，ページ画像指定手段によって指定された複数のページ画像および新しいページ画像に割り当てるシーン割当手段をさらに備えてもよい。この場合，シーン割当手段により割り当てられたシーンに含まれる画像を用いて，ページ画像指定手段によって指定された複数のページ画像のそれぞれのページ画像および新しいページ画像を生成することができる。
【００１６】
ページ画像指定手段は，たとえば，第１のページ画像表示制御手段の制御により表示装置の表示画面に表示される複数のページ画像のすべてを指定する。
【００１７】
複数の画像を表示装置の表示画面に表示させる画像表示制御手段，画像表示制御手段の制御により表示画面に表示されている複数の画像を，シーンごとに異なる複数の領域に表示する領域の仕切り線を表示装置の表示画面に表示させる仕切り線表示制御手段，および仕切り線表示制御手段の制御により表示画面に表示されている仕切り線により仕切られている領域に含まれている画像から抽出された画像を台紙画像に貼付したページ画像を，複数生成するページ画像生成手段をさらに備えてもよい。この場合，第１のページ画像表示制御手段は，ページ画像生成手段によって生成された複数のページ画像を表示装置の表示画面に表示させ，仕切り線表示制御手段は，第２のページ画像表示制御手段によって新しいページ画像が表示画面に表示されたことに応じて，新しいページ画像に隣接しているページ画像に貼付されている画像が含まれている領域の仕切り線を追加することが好ましい。
【００１８】
第２の発明によるページ画像表示システムは，画像が貼付されているページ画像を，表示装置の表示画面に複数表示させる第１のページ画像表示制御手段，第１のページ画像表示制御手段の制御により表示画面に表示されている複数のページ画像のそれぞれのページ画像に対応して，ページ画像削除指示領域を表示装置の表示画面に表示させるページ画像削除指示領域表示制御手段，およびページ画像削除指示領域表示制御手段の制御により表示されているページ画像削除指示領域にページ画像削除指示が与えられたことに応じて，ページ画像削除指示が与えられたページ画像削除指示領域に対応したページ画像を表示装置の表示画面から削除させるページ画像削除制御手段を備えていることを特徴とする。
【００１９】
第２の発明は，ページ画像表示制御システムに適した制御方法も提供している。すなわち，この方法は，ページ画像表示制御手段が，画像が貼付されているページ画像を，表示装置の表示画面に複数表示させ，ページ画像削除指示領域表示制御手段が，ページ画像表
示制御手段の制御により表示画面に表示されている複数のページ画像のそれぞれのページ画像に対応して，ページ画像削除指示領域を表示装置の表示画面に表示させ，ページ画像削除制御手段が，ページ画像削除指示領域表示制御手段の制御により表示されているページ画像削除指示領域にページ画像削除指示が与えられたことに応じて，ページ画像削除指示が与えられたページ画像削除指示領域に対応したページ画像を表示装置の表示画面から削除させる。
【００２０】
第２の発明は，ページ画像表示制御方法を実施するためのコンピュータが読み取り可能なプログラムおよびそのプログラムを格納した記録媒体も提供している。
【００２１】
第１のページ画像表示制御手段の制御により表示装置の表示画面に表示されるページ画像には，複数の画像がシーンごとに分割された場合における各シーンが割り当てられており，かつ割り当てられた各シーンに含まれる画像が貼付されている場合には，ページ画像削除制御手段の制御により削除されたページ画像に割り当てられていたシーンを，削除されたページ画像を挟んでいた第１のページ画像および第２のページ画像の少なくとも一方に追加して割り当て，第１のページ画像および上記第２のページ画像の少なくとも一方は，すでに割り当てられているシーンと追加して割り当てられたシーンとに含まれる画像を用いて生成するようにしてもよい。
【００２２】
ページ画像削除手段によって削除されたページ画像に割り当てられていたシーンと同一のシーンが他のページ画像に割り当てられていた場合には，削除されたページ画像に割り当てられていたシーンに含まれる画像から画像を抽出し，抽出した画像を用いて他のページ画像を再度生成してもよい。
【００２３】
第１のページ画像表示制御手段の制御により表示装置の表示画面に表示される複数のページ画像には，複数の画像がシーンごとに分割された場合における各シーンが割り当てられており，かつ割り当てられた各シーンに含まれる画像が貼付されている場合には，第１のページ画像表示制御手段の制御により表示装置の表示画面に表示される複数のページ画像のうちページ画像削除制御手段によって削除されたページ画像を挟む２つのページ画像を含む複数のページ画像を指定するページ画像指定手段，ならびにページ画像削除制御手段によって削除されたページ画像に割り当てられていたシーンおよびページ画像指定手段によって指定された複数のページ画像に割り当てられている複数のシーンのそれぞれのシーンを，ページ画像指定手段によって指定された複数のページ画像に割り当てるシーン割当手段をさらに備えてもよい。この場合，シーン割当手段によって割り当てられたシーンに含まれる画像を用いてページ画像指定手段によって指定された複数のページ画像のそれぞれのページ画像を生成することが好ましい。
【００２４】
ページ画像指定手段は，たとえば，第１のページ画像表示制御手段の制御により表示装置の表示画面に表示される複数のページ画像のすべてを指定する。
【００２５】
複数の画像を表示装置の表示画面に表示させる画像表示制御手段，画像表示制御手段の制御により表示画面に表示されている複数の画像を，シーンごとに異なる複数の領域に表示する領域の仕切り線を上記表示装置の表示画面に表示させる仕切り線表示制御手段，および仕切り線表示制御手段の制御により表示画面に表示されている仕切り線により仕切られている領域に含まれている画像から抽出された画像を台紙画像に貼付したページ画像を，複数生成するページ画像生成手段をさらに備えてもよい。この場合，第１のページ画像表示制御手段は，たとえば，ページ画像生成手段によって生成された複数のページ画像を表示装置の表示画面に表示させ，画像表示制御手段は，ページ画像削除手段によって削除されたページ画像に貼付されていた画像が含まれていた領域を，他の領域と区別して表示する。
【００２６】
第３の発明によるページ画像表示制御システムは，複数の画像を表示装置の表示画面に表示させる画像表示制御手段，画像表示制御手段の制御により表示画面に表示されている複数の画像を，シーンごとに異なる複数の領域に表示する領域の仕切り線を表示装置の表示画面に表示させる仕切り線表示制御手段，仕切り線表示制御手段の制御により表示画面に表示されている仕切り線により仕切られている領域に含まれている画像から抽出された画像を台紙画像に貼付したページ画像を，複数生成するページ画像生成手段，ページ画像生成手段によって生成された複数のページ画像を表示装置の表示画面に表示させるページ画像表示制御手段，およびページ画像表示制御手段の制御による表示画面に表示されている複数のページ画像のうちいずれかのページ画像に隣接して新しいページ画像を追加するページ画像追加手段を備え，仕切り線表示制御手段は，ページ画像追加手段によって新しいページ画像が追加されたことに応じて，追加されたページ画像に隣接しているページ画像に貼付されている画像が含まれている領域の仕切り線を追加する。
【００２７】
第３の発明は，ページ画像表示制御システムに適したページ画像表示制御方法も提供している。すなわち，画像表示制御手段が，複数の画像を表示装置の表示画面に表示させ，仕切り線表示制御手段が，画像表示制御手段の制御により表示画面に表示されている複数の画像を，シーンごとに異なる複数の領域に表示する領域の仕切り線を表示装置の表示画面に表示させ，ページ画像生成手段が，仕切り線表示制御手段の制御により表示画面に表示されている仕切り線により仕切られている領域に含まれている画像から抽出された画像を台紙画像に貼付したページ画像を，複数生成し，ページ画像表示制御手段が，ページ画像生成手段によって生成された複数のページ画像を表示装置の表示画面に表示させ，ページ画像追加手段が，ページ画像表示制御手段の制御による表示画面に表示されている複数のページ画像のうちいずれかのページ画像に隣接して新しいページ画像を追加し，仕切り線表示制御手段は，ページ画像追加手段によって新しいページ画像が追加されたことに応じて，追加されたページ画像に隣接しているページ画像に貼付されている画像が含まれている領域の仕切り線を追加する。
【００２８】
第３の発明は，ページ画像表示制御方法を実施するためのコンピュータが読み取り可能なプログラムおよびそのプログラムを格納した記録媒体も提供している。
【００２９】
第４の発明は，複数の画像を表示装置の表示画面に表示させる画像表示制御手段，画像表示制御手段の制御により表示画面に表示されている複数の画像を，シーンごとに異なる複数の領域に表示する領域の仕切り線を表示装置の表示画面に表示させる仕切り線表示制御手段，仕切り線表示制御手段の制御により表示画面に表示されている仕切り線により仕切られている領域に含まれている画像から抽出された画像を台紙画像に貼付したページ画像を，複数生成するページ画像生成手段，ページ画像生成手段によって生成された複数のページ画像を表示装置の表示画面に表示させるページ画像表示制御手段，およびページ画像削除指示に応じて，ページ画像表示制御手段の制御により表示画面に表示されている複数のページ画像のうち，ページ画像削除指示が与えられたページ画像を削除するページ画像削除手段を備え，画像表示制御手段は，ページ画像削除手段によって削除されたページ画像に貼付されていた画像が含まれている領域を，他の上記領域と区別して表示する。
【００３０】
第４の発明は，ページ画像表示制御システムに適したページ画像表示制御方法も提供している。すなわち，この方法は，画像表示制御手段が，複数の画像を表示装置の表示画面に表示させ，仕切り線表示制御手段が，画像表示制御手段の制御により表示画面に表示されている複数の画像を，シーンごとに異なる複数の領域に表示する領域の仕切り線を表示装置の表示画面に表示させ，ページ画像生成手段が，仕切り線表示制御手段の制御により表示画面に表示されている仕切り線により仕切られている領域に含まれている画像から抽出された画像を台紙画像に貼付したページ画像を，複数生成し，ページ画像表示制御手段
が，ページ画像生成手段によって生成された複数のページ画像を表示装置の表示画面に表示させ，ページ画像削除手段が，ページ画像削除指示に応じて，ページ画像表示制御手段の制御により表示画面に表示されている複数のページ画像のうち，ページ画像削除指示が与えられたページ画像を削除し，画像表示制御手段は，ページ画像削除手段によって削除されたページ画像に貼付されていた画像が含まれている領域を，他の領域と区別して表示する。
【００３１】
第４の発明は，ページ画像表示制御方法を実施するためのコンピュータが読み取り可能なプログラムおよびそのプログラムを格納した記録媒体も提供している。
【発明の効果】
【００３２】
第１の発明によると，複数のページ画像が表示画面に表示され，隣接するページ画像の間にページ画像追加指示領域が表示される。ページ画像追加指示領域にページ画像追加指示が与えられると，ページ画像追加指示が与えられたページ画像追加指示領域を挟む２つのページ画像の間に，新しいページ画像が表示させられる。新しいページ画像には，２つのページ画像に含まれる第１のページ画像に割り当てられているシーンおよび２つのページ画像に含まれる第２のページ画像に割り当てられているシーンの少なくとも一方のシーンに含まれる画像が貼付されるから，新しいページ画像に貼付される画像は画像の流れに沿ったものとなる。
【００３３】
第２の発明によると，複数のページ画像が表示画面に表示される。複数のページ画像のそれぞれのページ画像に対応して，ページ画像削除指示領域が表示される。ページ画像削除指示領域にページ画像削除指示が与えられると，ページ画像削除指示が与えられたページ画像削除指示領域に対応したページ画像が削除される。ページ画像削除指示領域が表示されているから，削除するページ画像が分かりやすく，削除するつもりのないページ画像が削除されてしまうことが未然に防止される。
【００３４】
第３の発明によると，複数の画像がシーンごとに異なる領域に表示されるように仕切り線が表示される。仕切り線により仕切られている領域に含まれている画像から抽出された画像を台紙画像に貼付した複数のページ画像が表示される。いずれかのページ画像に隣接して新しいページ画像が追加されると，追加されたページ画像に隣接しているページ画像に貼付されている画像が含まれている仕切り線が追加される。ページ画像が追加されても，ページ画像が追加された場合であっても，シーンごとに分類されている領域を把握できる。
【００３５】
第４の発明においても，複数の画像がシーンごとに異なる領域に表示されるように仕切り線が表示され，仕切り線により仕切られている領域に含まれている画像から抽出された画像を台紙画像に貼付した複数のページ画像が表示される。ページ画像削除指示が与えられると，ページ画像削除指示が与えられたページ画像に貼付されていた画像が含まれている領域が，他の領域と区別されて表示される。削除されたページ画像に貼付されていた画像が含まれる領域であることが分かる。
【図面の簡単な説明】
【００３６】
【図１】ページ画像表示制御システムの電気的構成を示すブロック図である。
【図２】ページ画像表示制御システムの処理手順を示すフローチャートである。
【図３】ページ画像表示制御システムの処理手順を示すフローチャートである。
【図４】メモリ・カードに格納されている画像ファイルを示している。
【図５】複数の画像をシーンに分けた様子を示している。
【図６】ページ画像テーブルの一例である。
【図７】ページ画像一覧ウインドウの一例である。
【図８】ページ画像一覧ウインドウの一例である。
【図９】ページ画像一覧ウインドウの一例である。
【図１０】ページ画像表示制御システムの処理手順を示すフローチャートである。
【図１１】ページ画像表示制御システムの処理手順を示すフローチャートである。
【図１２】ページ画像の一例である。
【図１３】ページ画像表示制御システムの処理手順を示すフローチャートである。
【図１４】ページ画像表示制御システムの処理手順を示すフローチャートである。
【図１５】ページ画像テーブルの一例である。
【図１６】ページ画像表示制御システムの処理手順を示すフローチャートである。
【図１７】ページ画像表示制御システムの処理手順を示すフローチャートである。
【図１８】ページ画像テーブルの一例である。
【図１９】ページ画像表示制御システムの処理手順を示すフローチャートである。
【図２０】ページ画像表示制御システムの処理手順を示すフローチャートである。
【図２１】ページ画像表示制御システムの処理手順を示すフローチャートである。
【図２２】画像一覧ウインドウの一例である。
【図２３】画像一覧ウインドウの一例である。
【図２４】ページ画像表示制御システムの処理手順を示すフローチャートである。
【図２５】ページ画像の一例である。
【図２６】ページ画像テーブルの一例である。
【図２７】ページ画像表示制御システムの処理手順を示すフローチャートである。
【図２８】ページ画像テーブルの一例である。
【図２９】ページ画像表示制御システムの処理手順を示すフローチャートである。
【図３０】ページ画像テーブルの一例である。
【図３１】ページ画像表示制御システムの処理手順を示すフローチャートである。
【図３２】画像一覧表示ウインドウの一例である。
【発明を実施するための形態】
【００３７】
［実施例１］
図１は，この発明の実施例を示すもので，ページ画像表示制御システム１の電気的構成を示すブロック図である。
【００３８】
ページ画像表示制御システム１の全体の動作は，ＣＰＵ(Central Processing Unit)２によって統括される。
【００３９】
ページ画像表示制御システム１には，ページ画像表示制御システム１にコマンド等を与えるための入力装置としてキーボード３およびマウス４が含まれている。これらのキーボード３およびマウス４からのコマンド等は，入力制御装置５を介してＣＰＵ２に与えられる。また，ページ画像表示制御システム１には，データ等を一時的に記憶するメモリ８，ハードディスク７およびハードディスク７にアクセスするためのハードディスク・ドライブ６ならびに表示装置10および表示装置10を制御するための表示制御装置９が含まれている。
【００４０】
ページ画像表示制御システム１には，さらに，メモリ・カード12にアクセスするためのメモリ・カード・リーダ・ライタ11，CD-ROM(Compact Disc Read Only Memory)14にアクセスするためのCD-ROMドライブ13およびインターネットなどのネットワークと接続するための通信装置15が含まれている。
【００４１】
後述する動作を制御する，コンピュータが読み取り可能なプログラムが格納されているCD-ROM14(記録媒体)がCD-ROMドライブ13によって読み取られ，その読み取られたプログラムがページ画像表示制御システム１にインストールされる。そのようなプログラムは，CD
-ROM14以外のメモリ・カード12のような可搬型記録媒体に格納されていてもよいし，ページ画像表示制御システム１にあらかじめインストールされていてもよい。また，インターネットなどのネットワークを介して通信装置15によってプログラムが受信され，受信されたプログラムがページ画像表示制御システム１にインストールされるようにしてもよい。
【００４２】
図２および図３は，ページ画像表示制御システム１の処理手順を示すフローチャートである。アルバム(電子アルバム)を生成する際に行われる処理の一部が，図２および図３によって示されている。
【００４３】
表示装置10の表示画面には，複数の画像が保存されている保存場所を指定するための保存場所指定画像が表示される。保存場所指定画像を用いて，ハードディスク７，CD-ROM14，メモリ・カード12，ネットワーク上の保存領域などの保存場所をユーザは指定することができる。ページ画像表示制御システム１にUSB(Universal Serial Bus)メモリ(図示略)を接続できる場合には，保存場所としてUSBメモリの指定もできる。ユーザは，キーボード３またはマウス４を用いて，アルバムの生成に用いる画像の保存場所を指定する(ステップ21)。この実施例では，画像の保存場所としてメモリ・カード12がユーザによって指定されたものとする。画像の保存場所を指定する前または画像の保存場所を指定した後に，画像の保存場所に保存されている複数の画像の中から，さらに複数の画像の範囲を特定してもよい。たとえば，撮影期間が指定され，その指定された撮影期間内に撮影された複数の画像が，画像の保存場所に保存されている複数の画像の中から特定されてもよい。
【００４４】
図４は，メモリ・カード12に保存されている画像ファイルを表している。
【００４５】
メモリ・カード12には，IMG001からIMG500までの画像ファイル名によって表される500個の画像ファイルが保存されているものとする。もっとも，画像ファイル名は連続している必要は無い。たとえば，ユーザは，メモリ・カード12を持参して旅行などに行き，旅行先などにおいて撮影することにより500個の画像ファイルがメモリ・カード12に格納される。また，旅行などの単独のイベントだけでなく，結婚式における撮影により得られた画像ファイルと結婚式後の旅行（たとえば，新婚旅行）における撮影により得られた画像ファイルとがメモリ・カード12に格納されていてもよい。このように複数のイベントにおける撮影により得られた画像ファイルがメモリ・カード12（メモリ・カード12に限られない。）に格納されていてもよい。
【００４６】
図２に戻って，メモリ・カード12に格納されている複数の画像ファイルがＣＰＵ２によって読み取られ，複数の画像がＣＰＵ２によってシーンごとに分割される(ステップ22)。
【００４７】
図５は，複数の画像がシーンごとに分割される様子を示している。
【００４８】
メモリ・カード12に格納されている500個の画像ファイルは，４泊５日での旅行の撮影により得られたものとする。５日間を午前中，午後および夜に，それぞれ分け，500枚の画像が，シーンＳ１からシーンＳ15までの15のシーンに分割される。ファイルのヘッダには，撮像日時を示すデータが格納されており，その撮像日時を示すデータを用いて分割される。たとえば，シーンＳ１(１日めの午前中)には，画像ファイル名IMG001からIMG021によって表される21枚の画像が含まれ，シーンＳ２(１日めの午後)には，画像ファイル名IMG022からIMG054によって表される32枚の画像が含まれ，シーンＳ３(１日めの夜)には，画像ファイル名IMG055からIMG084によって表される29枚の画像が含まれる。その他のシーンについても，撮像日時にもとづいてシーンＳ４からシーンＳ15のいずれかに分けられている。
【００４９】
この実施例では，撮影日時を用いて複数の画像がシーンごとに分けられているが，撮影
日時ではなく，イベントごとなど，他の方法により複数の画像がシーンごとに分けられていてもよい。たとえば，バスケットボールの試合の画像，野球の試合の画像，テニスの試合の画像など，複数のイベントの画像がある場合には，バスケットボール，野球，テニスなどそれぞれのイベントごとに複数の画像を分けることにより，複数の画像がシーンごとに分けられてもよい。
【００５０】
図２に戻って，ユーザによってキーボード３を用いてアルバムのページ数が指定される(ステップ23)。この実施例では，アルバムのページ数が20ページ（見開きの左右の２ページを１ページとしてではなく，２ページとした場合)に指定されたものとするが，他のページ数に指定されてもよい。見開きページを１ページとして考えると，ページ数は10ページとなる。
【００５１】
すると，分けられたシーンがＣＰＵ２によって見開きページごとに割り当てられる(ステップ24)。この実施例では，見開きページの画像が表示装置10の表示画面に表示される(図７参照)。見開きページの画像をページ画像ということにする。もっとも，見開きページではなく，ページごとに表示装置10の表示画面に表示されるようにしてもよい。その場合には，見開きではない１ページの画像がページ画像となる。
【００５２】
図６は，ページ画像テーブルの一例である。
【００５３】
ページ画像テーブルは，ページ画像と，ページ画像に割り当てられたシーンと，の関係を示している。ページ画像は，見開きページ(または各ページ)に対応しているから，ページ画像に割り当てられたシーンは，見開きページ(または各ページ)に割り当てられたシーンとなる。
【００５４】
ユーザによって指定されたアルバムのページ数は見開きページで考えると10ページであるから，10個のページ画像Ｐ１からＰ10がページ画像テーブルに格納されている。これらのページ画像Ｐ１からＰ10に対応して，ページ画像テーブルにシーンの識別データが格納されている。ページ画像Ｐ１には，シーンＳ１およびＳ２が割り当てられ，ページ画像Ｐ２には，シーンＳ３が割り当てられている。以下同様に，ページ画像Ｐ３にはシーンＳ４およびＳ５が，ページ画像Ｐ４にはシーンＳ６が，ページ画像Ｐ５にはシーンＳ７が，ページ画像Ｐ６にはシーンＳ８が，ページ画像Ｐ７にはシーンＳ９およびＳ10が，ページ画像Ｐ８にはシーンＳ11が，ページ画像Ｐ９にはシーンＳ12が，ページ画像Ｐ10にはシーンＳ13，Ｓ14およびＳ15が，それぞれ割り当てられている。
【００５５】
図２に戻って，見開きページ(ページ画像)に割り当てられたシーンに含まれる画像が，ＣＰＵ２によって抽出される(ステップ25)。見開きページに貼り付けられる画像の個数は，見開きページごとにあらかじめ定まっており(追加できてもよい)，その定められた個数の画像が抽出される。たとえば，最初の見開きページ(ページ画像Ｐ１)には，６つの画像を貼り付けることができ，最初の見開きページ(ページ画像Ｐ１)に割り当てられているシーンＳ１およびＳ２に含まれる画像の中から６つの画像がＣＰＵ２によって抽出される。画像としての評価の高いもの，撮影日時が離れているもの，主要被写体の評価が高いものなど，どのような評価基準にもとづいて画像が抽出されてもよい。例えば，最初の見開きページ(ページ画像Ｐ１)には，シーンＳ１およびＳ２の画像の中から画像ファイル名IMG001，IMG012，IMG019，IMG021，IMG041およびIMG048の画像が抽出される。抽出された画像が，最初の見開きページ(ページ画像Ｐ１)にＣＰＵ２によって貼り付けられる。
【００５６】
ページ画像Ｐ１以外のページ画像Ｐ２からＰ10についても同様に，それぞれのページ画像に割り当てられているシーンから画像が抽出され，貼り付けられる。このようにして，割り当てられたシーンに含まれる画像が貼付されているページ画像Ｐ１からＰ10がＣＰＵ
２によって生成される(ステップ26)。ページ画像Ｐ１からＰ10が生成されると，生成されたページ画像Ｐ１からＰ10が表示制御装置９(第１のページ画像表示制御手段)によって表示装置10の表示画面に表示される(ステップ27)。複数の画像がシーンごとに分割された場合における，分割されたシーンのうち割り当てられたシーンに含まれる画像が貼付されているページ画像が，表示制御装置９によって表示装置10の表示画面に複数表示されることとなる。
【００５７】
図７は，表示装置10の表示画面に表示されるページ画像一覧ウインドウ40の一例である。
【００５８】
ページ画像一覧ウインドウ40には，複数のページ画像Ｐ１からＰ10が含まれている。複数のページ画像Ｐ１からＰ10のそれぞれには，上述したように，それぞれのページ画像に割り当てられたシーンに含まれる画像の中から抽出された画像(サムネイル画像)が貼付されている。
【００５９】
複数のページ画像Ｐ１からＰ10のうち，隣接するページ画像の間には，ページ画像追加指示領域41が表示されている。ページ画像追加指示領域41は，円(円でなくともよい)の内部にプラスの記号が付されている。ページ画像追加指示領域41は，隣接するページ画像追加指示領域41の間にあると判断されればよく，ページ画像追加指示領域41に重なっていてもよいし，重なっていなくともよい。隣接するページ画像が接している場合であっても，隣接するページ画像の境界上にページ画像追加指示領域41があれば，ページ画像追加指示領域41が隣接するページ画像追加指示領域41の間にあることとなる。ページ画像追加指示領域41は，表示制御装置９(ページ画像追加指示領域表示制御手段)によって表示するように表示装置10が制御させられる。
【００６０】
また，複数のページ画像Ｐ１からＰ10のそれぞれのページ画像に対応して，ページ画像削除指示領域42が表示されている。ページ画像削除指示領域42には，矩形(矩形でなくともよい)の内部にバツ印が付されている。ページ画像削除指示領域42は，ページ画像Ｐ１からＰ10のそれぞれのページ画像の右上に，ページ画像の一部と重なるように表示されているが，ページ画像に対応して表示されていればよく，ページ画像の上，下など，どのような場所でもよい。ページ画像削除指示領域42も表示制御装置９(ページ画像削除指示領域表示制御手段)の制御により表示装置10の表示画面に表示される。
【００６１】
ページ画像一覧ウインドウ40には，さらに，「最初に戻る」の文字が付されている初期ウインドウ表示ボタン43，「戻る」の文字が付されているウインドウ戻りボタン44，アルバムの各ページの大きさ，ページ数および料金が表示されているアルバム情報表示領域45ならびに「画像一覧へ」の文字が付されている一覧表示ボタン46が含まれている。初期ウインドウ表示ボタン43がマウス４を用いてユーザによってクリックされると，アルバム作成処理において最初に表示されるウインドウが表示装置10の表示画面に表示される。ウインドウ戻りボタン44がマウス４を用いてユーザによってクリックされると，ページ画像一覧ウインドウ40の前に表示されるウインドウが表示装置10の表示画面に表示される。一覧表示ボタン46がマウス４を用いてユーザによってクリックされると，ユーザによって指定された画像保存場所に保存されている画像(サムネイル画像)が表示装置10の表示画面に一覧で表示される。
【００６２】
このようにして，ページ画像追加指示領域41およびページ画像削除指示領域42が表示されることとなる(図３ステップ28)。
【００６３】
ユーザによって，ページ画像追加指示領域41がクリックされると(ページ画像追加指示が与えられると)(ステップ29でＹＥＳ)，ＣＰＵ２によって新しいページ画像が生成され
る(ステップ30)。もちろん，新しいページ画像を生成しないで，すでに生成されているページ画像を新しいページ画像としてもよい。
【００６４】
新しいページ画像が生成される，あるいはすでに生成されているページ画像が新しいページ画像として選択されると，クリックされた(ページ画像追加指示が与えられた)ページ画像追加指示領域41を挟む２つのページ画像の間に新しいページ画像が表示されるように，表示装置10が表示制御装置９(第２のページ画像表示制御手段)によって制御される(ステップ31)。たとえば，ページ画像Ｐ２とページ画像Ｐ３との間にあるページ画像追加指示領域41がユーザによってクリックされたものとする。すると，図８に示すように，ページ画像Ｐ２とページ画像Ｐ３との間に，新しいページ画像ＰＡが表示される(ステップ31)。新しいページ画像ＰＡと隣接するページ画像Ｐ２との間および新しいページ画像ＰＡと隣接するページ画像Ｐ３との間には，それぞれページ画像追加指示領域41が表示され，かつ新しいページ画像ＰＡにもページ画像削除指示領域42が表示される。
【００６５】
新しいページ画像ＰＡには，画像を貼付する画像貼付領域Ａｒ１からＡｒ６が形成されている。新しいページ画像ＰＡに形成されている画像貼付領域Ａｒ１からＡｒ６には，クリックされたページ画像追加指示領域41を挟む２つのページ画像Ｐ２およびＰ３に含まれる第１のページ画像Ｐ２に割り当てられているシーンおよび第２のページ画像Ｐ３に割り当てられているシーンの少なくとも一方のシーンに含まれる画像がＣＰＵ２によって貼付される(ステップ32)。図６に示すように，ページ画像Ｐ２(第１のページ画像)には，シーンＳ３が割り当てられているから，シーンＳ３に含まれている画像ファイル名IMG055からIMG084によって表される画像の中から抽出される画像が，新しいページ画像ＰＡの画像貼付領域Ａｒ１からＡｒ６に貼付される。また，図６に示すように，ページ画像Ｐ３(第２のページ画像)には，シーンＳ４およびシーンＳ５が割り当てられているから，シーンＳ４に含まれている画像ファイル名IMG085からIMG106によって表される画像またはシーンＳ５に含まれている画像ファイル名IMG107からIMG148によって表される画像の中から抽出される画像が，新しいページ画像ＰＡの画像貼付領域Ａｒ１からＡｒ６に貼付されてもよい。新しいページ画像ＰＡに貼付される画像は，ページ画像Ｐ２またはページ画像Ｐ３にすでに貼付されている画像とは異なるものであることが好ましいのはいうまでもない。
【００６６】
アルバム情報表示領域45には，新しいページ画像ＰＡが追加されたことによりアルバムのページ数が増えたので，その増えたページ数が表示される。新しいページ画像ＰＡの追加により料金も変更する場合には，変更した料金がアルバム情報表示領域45に表示される。
【００６７】
ページ画像削除指示領域42がユーザによってクリックされると(ページ画像削除指示領域42にページ画像削除指示が与えられると)(ステップ33または34でＹＥＳ)，クリックされたページ画像削除指示領域42に対応したページ画像が表示装置10の表示画面からＣＰＵ２(ページ画像削除制御手段)によって削除される(ステップ35)。ページ画像追加指示領域41がクリックされずに(ステップ29でＮＯ)，ページ画像削除指示領域42がクリックされた場合であっても(ステップ34でＹＥＳ)，ページ画像追加指示領域41がクリックされて(ステップ29でＹＥＳ)，ページ画像削除指示領域42がクリックされた場合であっても(ステップ33でＹＥＳ)，いずれにしても，クリックされたページ画像削除指示領域42に対応したページ画像が削除される。
【００６８】
ページ画像追加指示領域41がクリックされずに(ステップ29でＮＯ)，ページ画像Ｐ７に対応したページ画像削除指示領域42がクリックされたものとする(ステップ34でＹＥＳ)。すると，図９に示すように，ページ画像一覧ウインドウ40からは，ページ画像Ｐ７が削除され，ページ画像Ｐ６の右となりにはページ画像Ｐ７が表示されるようになる。このようにして，ページ画像Ｐ７がＣＰＵ２(ページ画像削除制御手段)によって表示装置10の表示
画面から削除される。
【００６９】
アルバム情報表示領域45には，ページ画像ＰＡの削除により，アルバムのページ数が減ったので，その減ったページ数が表示される。ページ画像ＰＡの削除により料金も変更する場合には，変更した料金がアルバム情報表示領域45に表示される。
【００７０】
新しいページ画像ＰＡが追加された後に，ページ画像が削除された場合にも同様に，クリックされたページ画像削除指示領域42に対応したページ画像が削除される。
【００７１】
実施例１によると，新しいページ画像には，新しいページ画像を挟む２つのページ画像のいずれかに割り当てられているシーンに含まれる画像が貼付されるので，新しいページ画像も２つのページ画像の流れに沿うものとなる。
【００７２】
［実施例２］
図10から図12は，実施例２を示している。
【００７３】
この実施例は，上述のように新しいページ画像ＰＡが追加された場合に，新しいページ画像を挟む２つのページ画像に含まれる第１のページ画像(上述の場合にはページ画像Ｐ２)に割り当てられているシーンに含まれる画像の数と，その２つのページ画像に含まれる第２のページ画像(上述の場合にはページ画像Ｐ３)に割り当てられているシーンに含まれる画像の数と，のうち，画像の数が多い方のシーンから抽出された画像が新しいページ画像ＰＡに表示されるものである。
【００７４】
図10および図11は，ページ画像表示制御システム１の処理手順の一部を示すフローチャートである。図２のステップ21から図３のステップ30の処理の後に，図10のステップ31が続く。
【００７５】
図12は，図８のページ画像一覧ウインドウ40に含まれるページ画像等のうち，一部のページ画像Ｐ２，ＰＡおよびＰ３を示している。上述のように，ページ画像Ｐ２とページ画像Ｐ３との間に新しいページ画像ＰＡが表示されている。
【００７６】
上述のように，新しいページ画像ＰＡが表示されると(ステップ31)，その新しいページ画像ＰＡを挟む２つのページ画像Ｐ２およびＰ３のうち，第１のページ画像Ｐ２に割り当てられているシーンに含まれる画像の数(第１の数)がＣＰＵ２によって算出される(ステップ50)。第１のページ画像に割り当てられているシーンは，シーンＳ３であり，そのシーンＳ３に含まれる画像の数(第１の数)は，画像ファイル名IMG055からIMG084の数に等しく，29枚となる。同様に，新しいページ画像ＰＡを挟む２つのページ画像Ｐ２およびＰ３のうち，第２のページ画像Ｐ３に割り当てられているシーンに含まれる画像の数(第２の数)がＣＰＵ２によって算出される(ステップ51)。第２のページ画像Ｐ３に割り当てられているシーンは，シーンＳ４およびシーンＳ５である。シーンＳ４に含まれる画像の数は，画像ファイル名IMG085からIMG0106の数に等しく21枚であり，シーンＳ５に含まれる画像の数は，画像ファイル名IMG107からIMG148の数に等しく41枚である。第２のページ画像Ｐ３に割り当てられているシーンＳ４およびシーンＳ５に含まれる画像の数(第２の数)は，62枚となる。
【００７７】
このようにして算出された第１の数と第２の数とがＣＰＵ２によって比較され，第１の数が第２の数以上であれば(ステップ52でＹＥＳ)，第１のページ画像Ｐ２に割り当てられているシーンＳ３に含まれている画像からＣＰＵ２によって画像が抽出される(ステップ53)。抽出された画像は，ＣＰＵ２によって，新しいページ画像ＰＡの画像貼付領域Ａｒ１からＡｒ６に貼付される(図11ステップ54)。
【００７８】
新しいページ画像ＰＡに第１のページ画像Ｐ２に割り当てられているシーンＳ３に含まれている画像が貼付される場合には，第１のページ画像Ｐ２に貼付される画像の抽出がＣＰＵ２によって再度行われる(ステップ55)。第１のページ画像Ｐ２に貼付される画像と新しいページ画像ＰＡに貼付される画像は，いずれもシーンＳ３に含まれる画像であるために，貼付される画像の統一，似た画像の貼付の防止などのためである。新しいページ画像ＰＡと第１のページ画像Ｐ２とを一つのページ画像と捉え，それらのページ画像ＰＡおよびＰ２に貼付する画像を同時にシーンＳ３に含まれる画像から抽出するようにしてもよい。
【００７９】
第２の数が第１の数より大きければ(ステップ58でＹＥＳ)，第２のページ画像Ｐ３に割り当てられているシーンＳ４またはシーンＳ５に含まれている画像からＣＰＵ２によって画像が抽出される(ステップ59)。抽出された画像は，ＣＰＵ２によって，新しいページ画像ＰＡの画像貼付領域Ａｒ１からＡｒ６に貼付される(図11ステップ60)。
【００８０】
新しいページ画像ＰＡに第１のページ画像Ｐ２に割り当てられているシーンＳ４またはシーンＳ５に含まれている画像が貼付される場合には，第２のページ画像Ｐ３に貼付される画像の抽出がＣＰＵ２によって再度行われる(ステップ61)。第２のページ画像Ｐ３に貼付される画像と新しいページ画像ＰＡに貼付される画像は，いずれもシーンＳ４またはシーンＳ５に含まれる画像であるために，貼付される画像の統一，似た画像の貼付の防止などのためである。新しいページ画像ＰＡと第２のページ画像Ｐ３とを一つのページ画像と捉え，それらのページ画像ＰＡおよびＰ３に貼付する画像を同時にシーンＳ４またはシーンＳ５に含まれる画像から抽出するようにしてもよい。
【００８１】
ページ画像削除指示領域42がクリックされると(ステップ56でＹＥＳ)，クリックされたページ画像削除指示領域42に対応するページ画像が削除される(ステップ57)。
【００８２】
実施例２によると，２つのページ画像に含まれる第１のページ画像と第２のページ画像とのうち，第１のページ画像に割り当てられているシーンに含まれる画像の数と第２のページ画像に割り当てられている数とのうち，画像の数が多い方のシーンから抽出された画像が新しいページ画像に貼付される。数が多い画像のシーンは，重要なシーンと考えられるから，重要なシーンの画像が新しいページ画像に貼付されるようになる。
【００８３】
［実施例３］
図13は，実施例３を示すもので，ページ画像表示制御システム１の処理手順の一部を示すフローチャートである。図13に示す処理も，図２のステップ21から図３のステップ30の処理につづいて行われる。
【００８４】
図８に比べて拡大して図12に示されているように，ページ画像Ｐ２とページ画像Ｐ３との間のページ画像追加指示領域41がクリックされると，これらの２つのページ画像Ｐ２とページ画像Ｐ３との間に新しいページ画像ＰＡが表示される(ステップ31)。
【００８５】
新しいページ画像ＰＡに画像を貼付するために，クリックされたページ画像追加指示領域41を挟む２つのページ画像Ｐ２およびページ画像Ｐ３に割り当てられているシーンに含まれる画像が，ＣＰＵ２によって抽出される(ステップ71)。ページ画像Ｐ２にはシーンＳ３が割り当てられ，ページ画像Ｐ３にはシーンＳ４およびシーンＳ５が割り当てられているから，これらのシーンＳ４，Ｓ５およびＳ６に含まれる画像がＣＰＵ２によって抽出される。画像の画質，明るさなどを評価し，その評価値(画像評価値)が高い画像，画像に含まれ主要被写体を検出し，その主要被写体の画質，明るさ，位置などを評価し，その評価値(被写体評価値)が高い画像，撮影日時に偏りの無い画像などにより抽出されるが，クリ
ックされたページ画像追加指示領域41を挟む２つのページ画像Ｐ２およびページ画像Ｐ３の少なくとも一方に割り当てられているシーンに含まれる画像が抽出されれば，どのような抽出アルゴリズムにもとづいて抽出されてもよい。また，クリックされたページ画像追加指示領域41を挟む２つのページ画像Ｐ２およびページ画像Ｐ３のうち，一方のページ画像Ｐ２またはページ画像Ｐ３に割り当てられているシーンＳ３またはシーンＳ４およびＳ５のいずれかに含まれている画像が抽出されて，新しいページ画像に貼付されてもよい。さらに，クリックされたページ画像追加指示領域41を挟む２つのページ画像Ｐ２およびページ画像Ｐ３のうち，一方のページ画像Ｐ３には複数のシーンＳ４およびＳ５が割り当てられているが，それらの複数のシーンＳ４およびＳ５の両方から画像が抽出されてもよいし，複数のシーンＳ４およびＳ５のいずれか一方から画像が抽出されてもよい。
【００８６】
画像が抽出されると，その抽出された画像が新しいページ画像ＰＡにＣＰＵ２によって貼付される(ステップ72)。
【００８７】
さらに，新しいページ画像ＰＡが追加されたことにより，クリックされたページ画像追加指示領域41を挟む２つのページ画像Ｐ２およびページ画像Ｐ３に貼付される画像の抽出がＣＰＵ２によって再度行われる(ステップ73)。ページ画像Ｐ２にはシーンＳ３が割り当てられているから，シーンＳ３に含まれている画像の中から抽出され，抽出された画像がページ画像Ｐ２に新たに貼付される。ページ画像Ｐ２にすでに貼付されていた画像は消去されるのはいうまでもない。ページ３にはシーンＳ４およびＳ５が割り当てられているから，シーンＳ４またはＳ５に含まれている画像の中から抽出され，抽出された画像がページ画像Ｐ３に新たに貼付される。もっとも，クリックされたページ画像追加指示領域41を挟む２つのページ画像Ｐ２およびページ画像Ｐ３に貼付される画像の抽出が再度行われなくともよい。
【００８８】
ユーザによってページ画像削除指示領域42がクリックされると(ステップ74でＹＥＳ)，クリックされたページ画像削除指示領域42に対応するページ画像がＣＰＵ２によって削除される(ステップ75)。
【００８９】
実施例３によると，新しいページ画像には，新しいページ画像を挟む２つのページ画像に割り当てられているシーンに含まれる画像が貼付されるので，画像の流れが途切れてしまうことが未然に防止される。
【００９０】
［実施例４］
図14および図15は，実施例４を示している。
【００９１】
図14は，ページ画像表示制御システム１の処理手順の一部を示すフローチャートである。図14に示す処理も，図２のステップ21から図３のステップ30の処理につづいて行われる。
【００９２】
図８に比べて拡大して図12に示されているように，ページ画像Ｐ２とページ画像Ｐ３との間のページ画像追加指示領域41がクリックされると，これらの２つのページ画像Ｐ２とページ画像Ｐ３との間に新しいページ画像ＰＡが表示される(ステップ81)。
【００９３】
すると，２つのページ画像に含まれる第１のページ画像Ｐ２に割り当てられているシーンと，２つのページ画像に含まれる第２のページ画像Ｐ３に割り当てられているシーンとが，第１のページ画像Ｐ２，新しいページ画像ＰＡおよび第２のページ画像のそれぞれに対応するように，ＣＰＵ２によって，第１のシーン，第２のシーンおよび第２のシーンに分けられる(ステップ82)。第１のページ画像Ｐ２にはシーンＳ３が割り当てられ，第２のページ画像にはシーンＳ４およびＳ５が割り当てられているから，シーンＳ３，Ｓ４およ
びＳ５の３つのシーンに分けられる。３つのシーンＳ３，Ｓ４およびＳ５のうち，シーンＳ３が第１のシーンとして第１のページ画像Ｐ２に割り当てられ，シーンＳ４が第２のシーンとして新しいページ画像ＰＡに割り当てられ，シーンＳ５が第３のシーンとして第２のページ画像Ｐ３に割り当てられる。このように，ページ画像に割り当てられるシーンが変更される。
【００９４】
図15は，割り当てられたシーンが変更されたページ画像テーブルの一例である。
【００９５】
ページ画像Ｐ２，ページ画像ＰＡおよびページ画像Ｐ３には，第１のシーン，第２のシーンおよび第３のシーンとして，シーンＳ３，シーンＳ４およびシーンＳ５がそれぞれ割り当てられている。
【００９６】
図14に戻って，第１のページ画像Ｐ２に割り当てられたシーンＳ３(第１のシーン)に含まれる画像を用いて第１のページ画像Ｐ２が生成される(第１のページ画像Ｐ２に割り当てられたシーンＳ３に含まれる画像から抽出された画像が貼付される)(ステップ83)。同様に，新しいページ画像ＰＡに割り当てられたシーンＳ４(第２のシーン)に含まれる画像を用いて新しいページ画像ＰＡが生成され(新しいページ画像ＰＡに割り当てられたシーンＳ４に含まれる画像から抽出された画像が貼付され)(ステップ84)，第２のページ画像Ｐ３に割り当てられたシーンＳ５に含まれる画像を用いて第２のページ画像Ｐ３が生成される(第２のページ画像Ｐ３に割り当てられたシーンＳ５に含まれる画像から抽出された画像が貼付される)(ステップ85)。
【００９７】
ユーザによってページ画像削除指示領域42がクリックされると(ステップ86でＹＥＳ)，クリックされたページ画像削除指示領域42に対応するページ画像がＣＰＵ２によって削除される(ステップ87)。
【００９８】
実施例４によると，第１のシーン，第２のシーンおよび第３のシーンに分けられて，新しいページ画像等が生成されるから，シーンの流れに沿った新しいページ画像等が生成される。
【００９９】
［実施例５］
図16は，実施例５を示すもので，ページ画像表示制御システム１の処理手順の一部を示すフローチャートである。図16に示す処理も，図２のステップ21から図３のステップ30の処理につづいて行われる。
【０１００】
図８に比べて拡大して図12に示されているように，ページ画像Ｐ２とページ画像Ｐ３との間のページ画像追加指示領域41がクリックされると，これらの２つのページ画像Ｐ２とページ画像Ｐ３との間に新しいページ画像ＰＡが表示される(ステップ91)。
【０１０１】
図６に示すように，２つのページ画像Ｐ２とページ画像Ｐ３に含まれる第１のページ画像Ｐ２には一つのシーンＳ３が割り当てられており，２つのページ画像Ｐ２とページ画像Ｐ３に含まれる第２のページ画像Ｐ３には二つの(複数の)シーンＳ４およびＳ５が割り当てられている。第２のページ画像Ｐ３には，複数のシーンＳ４およびＳ５が割り当てられているから，それらの複数のシーンのうち，一部のシーンが第２のページ画像または新しいページ画像にＣＰＵ２によって割り当てられる(ステップ92)。たとえば，シーンＳ４が新しいページ画像ＰＡに割り当てられ，シーンＳ５が第２のページ画像に割り当てられる。新しいページ画像ＰＡに割り当てられたシーンＳ４に含まれる画像を用いて新しいページ画像ＰＡがＣＰＵ２によって生成され，第２のページ画像Ｐ２に割り当てられたシーンＳ５に含まれる画像を用いて第２のページ画像Ｐ２がＣＰＵ２によって生成される(ステップ93)。
【０１０２】
ユーザによってページ画像削除指示領域42がクリックされると(ステップ94でＹＥＳ)，クリックされたページ画像削除指示領域42に対応するページ画像がＣＰＵ２によって削除される(ステップ95)。
【０１０３】
上述の実施例では，２つのページ画像Ｐ２およびＰ３に含まれる第２のページ画像Ｐ２に割り当てられていた複数のシーンＳ４およびＳ５のうち，一部のシーンを第２のページ画像Ｐ２または新しいページ画像ＰＡに割り当て，割り当てられた各シーンに含まれる画像を用いて第２のページ画像Ｐ２または新しいページ画像ＰＡを生成している。しかしながら，２つのページ画像Ｐ２およびＰ３に含まれる第１のページ画像Ｐ１に複数のシーンが割り当てられている場合には，割り当てられていた複数のシーンのうち一部のシーンを，第１のページ画像Ｐ２または新しいページ画像ＰＡに割り当て，割り当てられた各シーンに含まれる画像を用いて第１のページ画像Ｐ１または新しいページ画像ＰＡを生成してもよい。また，２つのページ画像Ｐ２およびＰ３に割り当てられていた複数のシーンＳ３，Ｓ４およびＳ５のうち一部のシーンを，第１のページ画像Ｐ２，第２のページ画像Ｐ３または新しいページ画像ＰＡに割り当て，割り当てられた各シーンに含まれる画像を用いて第１のページ画像Ｐ２，第２のページ画像Ｐ３または新しいページ画像ＰＡを生成してもよい。
【０１０４】
実施例５によると，新しいページ画像を挟む２つのページ画像に含まれている第１のページ画像等に割り当てられていた複数のシーンの一部のシーンを新しいページ画像等に割り当てるので，シーンが変化してしまうことが未然に防止される。
【０１０５】
［実施例６］
図17および図18は，実施例６を示している。
【０１０６】
図17は，ページ画像表示制御システム１の処理手順の一部を示すフローチャートである。図17に示す処理も，図２のステップ21から図３のステップ30の処理につづいて行われる。
【０１０７】
図８に比べて拡大して図12に示されているように，ページ画像Ｐ２とページ画像Ｐ３との間のページ画像追加指示領域41がクリックされると，これらの２つのページ画像Ｐ２とページ画像Ｐ３との間に新しいページ画像ＰＡが表示される(ステップ101)。
【０１０８】
この実施例においては，クリックされたページ画像追加指示領域41を挟む２つのページ画像Ｐ２およびページ画像Ｐ３を含む複数のページ画像がマウス４(ページ画像指定手段)を用いてユーザによって指定される(ステップ102)。すると，指定された複数のページ画像に割り当てられている複数のシーンのそれぞれが，複数のページおよび新しいページにＣＰＵ２(シーン割当手段)によって割り当てられる(ステップ103)。
【０１０９】
図８を参照して，たとえば，複数のページとして，ページ画像Ｐ１，Ｐ２，Ｐ３およびＰ４が指定されたものとする。図６に示すように，これらのページ画像Ｐ１にはシーンＳ１およびＳ２が，ページ画像Ｐ２にはシーンＳ３が，ページ画像Ｐ３にはシーンＳ４およびＳ５が，ページ画像Ｐ４にはシーンＳ６がそれぞれ割り当てられている。これらのシーンＳ１からシーンＳ６が指定された複数のページ画像Ｐ１，Ｐ２，Ｐ３およびＰ４ならびに新しいページ画像ＰＡにＣＰＵ２によって割り当てられる。たとえば，ページ画像Ｐ１にはシーンＳ１が，ページ画像Ｐ２にはシーンＳ２が，ページ画像ＰＡにはシーンＳ３が，ページ画像Ｐ３にはシーンＳ４およびＳ５が，ページ画像Ｐ４にはシーンＳ６が，それぞれ割り当てられる。
【０１１０】
図18は，割り当てが変更されたページ画像テーブルの一例である。
【０１１１】
上述のようにして新たに割り当てられたシーンがページ画像に対応して格納されている。
【０１１２】
図17に戻って，新たに割り当てられたシーンに含まれる画像を用いて，複数のページ画像Ｐ１，Ｐ２，Ｐ３およびＰ４ならびに新しいページ画像ＰＡがＣＰＵ２によって生成される(ステップ104)。ページ画像Ｐ１に新たに割り当てられたシーンはシーンＳ１であるから，シーンＳ１に含まれる画像から抽出された画像がページ画像Ｐ１に貼付されて，新たにページ画像Ｐ１が生成される。同様に，ページ画像Ｐ２に新たに割り当てられたシーンはシーンＳ２であるから，シーンＳ２に含まれる画像から抽出された画像がページ画像Ｐ２に貼付されて新たにページ画像Ｐ２が生成される。新しいページ画像ＰＡに割り当てられたシーンはシーンＳ３であるから，シーンＳ３に含まれる画像から抽出された画像が新しいページ画像ＰＡ貼付されて新しいページ画像ＰＡが生成される。さらに，ページ画像Ｐ３に新たに割り当てられたシーンはシーンＳ４およびＳ５であるから，シーンＳ４またはＳ５に含まれる画像から抽出された画像がページ画像Ｐ３に貼付されて，新たにページ画像Ｐ３が生成される。ページ画像Ｐ４に新たに割り当てられたシーンはシーンＳ６であるから，シーンＳ６に含まれる画像から抽出された画像がページ画像Ｐ６に貼付されて新たにページ画像Ｐ６が生成される。
【０１１３】
ユーザによってページ画像削除指示領域42がクリックされると(ステップ105でＹＥＳ)，クリックされたページ画像削除指示領域42に対応するページ画像がＣＰＵ２によって削除される(ステップ106)。
【０１１４】
実施例６によると，複数のページ画像が指定され，指定された複数のページ画像に割り当てられているシーンが，新しいページ画像と指定された複数のページ画像とにおいて割り当て直されるので，新しいページ画像が追加されても，指定された複数のページ画像において割り当てられているシーンの中でシーンの急な変化が未然に防止される。
【０１１５】
［実施例７］
図19から図23は，実施例７を示している。
【０１１６】
この実施例は，複数の画像をシーンごとに異なる領域に表示するものである。
【０１１７】
図19から図21は，ページ画像表示制御システム１の処理手順を示すフローチャートである。図19から図21は，図２および図３に示すフローチャートに対応するもので，図２または図３に示す処理と同一の処理については同一符号を付している。
【０１１８】
ユーザによってマウス４などにより複数の画像の保存場所が指定され(ステップ21)，指定された保存場所に保存されている複数の画像がＣＰＵ２によって複数のシーンに分けられる(ステップ22)。アルバムのページ数がユーザによって指定され(ステップ23)，ページ数ごとにシーンが割り当てられる(ステップ24)。この実施例においても，図２および図３を参照して説明したように，500個の画像ファイルが格納されているメモリ・カード12が画像の保存場所として指定され，図５および図６を参照して説明したように，ページ画像Ｐ１からページ画像Ｐ10のそれぞれにシーンが割り当てられたものとする。
【０１１９】
ユーザによって指定された保存場所に格納されている複数の画像ファイルがＣＰＵ２によって読み取られ，読みられた複数の画像ファイルによって表される複数の画像(サムネイル画像)が，表示制御装置９(画像表示制御手段)によって表示装置10の表示画面に表示される(ステップ111)。
【０１２０】
図22は，表示装置10の表示画面に表示される画像一覧ウインドウ120の一例である。
【０１２１】
画像一覧ウインドウ120には，複数の領域121，122および123が含まれている。領域121には，ページ画像Ｐ２に対応するページに割り当てられたシーンＳ３に含まれる画像(画像ファイル名IMG022からIMG054によって表される画像)が表示されている。領域122には，ページ画像Ｐ３に対応するページに割り当てられたシーンＳ４およびＳ５に含まれる画像(画像ファイル名IMG055からIMG084によって表される画像)が表示されている。領域123には，ページ画像Ｐ４に対応するページに割り当てられたシーンＳ６に含まれる画像(画像ファイル名IMG085からIMG148によって表される画像)が表示されている。図22においては，分かりやすくするために，表示されている画像がファイル名によって表されている。領域121と領域122との間には，領域121と領域122とを仕切る仕切り線131が表示制御装置９(仕切り線表示制御手段)によって表示装置10の表示画面に表示されている(ステップ112)。同様に，領域122と領域123との間には，領域122と領域123とを仕切る仕切り線132が表示制御装置９(仕切り線表示制御手段)によって表示装置10の表示画面に表示されている。
【０１２２】
画像一覧ウインドウ120の右側には，上矢印ボタン125，スクロール・ボタン124および下矢印ボタン126が表示されている。上矢印ボタン125がマウス４によってクリックされる，あるいはスクロール・ボタン124がマウス４によって上方向にドラッグさせられると，画像一覧ウインドウ120に表示されている領域121，122および123が表示制御装置９によって全体的に下に移動させられる。ページ画像Ｐ２よりも前のページ画像Ｐ１に割り当てられているシーンＳ１およびＳ２に含まれる画像が，領域121とは別の領域に仕切り線によって仕切られて表示されるようになる。下矢印ボタン126がマウス４によってクリックされる，あるいはスクロール・ボタン124がマウス４によって下方向にドラッグさせられると，画像一覧ウインドウ120に表示されている領域121，122および123が表示制御装置９によって全体的に上に移動させられる。ページ画像Ｐ５よりも後のページ画像Ｐ６などに割り当てられているシーンＳ８などに含まれる画像が，領域123とは別の領域に仕切り線によって仕切られて表示されるようになる。
【０１２３】
画像一覧ウインドウ120に表示されている複数の画像のうち，所望の画像をユーザはマウス４を用いて指定することができ，指定された画像が対応するページ画像に貼付されることとなる。たとえば，領域122に表示される画像（ページ画像Ｐ３に対応するページに割り当てられたシーンＳ４およびＳ５に含まれる画像であり，画像ファイル名IMG055からIMG084によって表される画像)のうち，ユーザによって画像ファイル名IMG061，IMG066，IMG072およびIMG073によって表される画像が指定されると，図７に示すように，ページ画像Ｐ２には，これらの画像ファイル名IMG061，IMG066，IMG072およびIMG073によって表される画像がＣＰＵ２によって貼付される。他の領域121および123ならびに画像一覧ウインドウ120に表示されていない領域についても同様である。
【０１２４】
画像一覧ウインドウ120の下部には，「ページ画像一覧へ」の文字が表示されているページ一覧表示領域127および「キャンセル」の文字が表示されているキャンセル・ボタン128が表示されている。ページ一覧表示領域127がクリックされると，図７に示すように，ページ画像一覧ウインドウ40が表示装置10の表示画面に表示させられる。
【０１２５】
上述したように，領域ごとに分けられて表示されている画像の中から所望の画像をユーザが指定すると，割り当てられたシーンに含まれる画像が指定されたこととなる(図20ステップ25Ａ)。もっとも，ユーザが指定せずに，割り当てられたシーンに含まれる画像がＣＰＵ２によって抽出されるようにしてもよい。つづいて，割り当てられたシーンに含まれる画像が台紙画像に貼付されているページ画像がＣＰＵ２(ページ画像生成手段)によって複数生成される(ステップ26)。
【０１２６】
ページ一覧表示領域127がユーザによってクリックされると(ステップ113でＹＥＳ)，図７に示すように，表示制御装置９(第１のページ画像表示制御手段)によってページ画像一覧ウインドウ40が表示装置10の表示画面に表示させられる。これにより，複数のページ画像Ｐ１からＰ10が表示装置10の表示画面に表示される(ステップ27)。ページ画像一覧ウインドウ40には，上述したように，ページ画像追加指示領域41がページ画像Ｐ１からＰ10のそれぞれの間に表示され，ページ画像削除指示領域42がページ画像Ｐ１からＰ10のそれぞれに対応して表示される(ステップ28)。
【０１２７】
ページ画像追加指示領域41がクリックされると(ステップ29でＹＥＳ)，ＣＰＵ２によって新しいページ画像が生成され(図21ステップ30)，生成された新しいページ画像が，クリックされたページ画像追加指示領域41を挟む２つのページ画像の間に表示される(ステップ31)。上述のようにして，新しいページ画像に画像が貼付される(ステップ32)。
【０１２８】
ページ画像削除指示領域42がクリックされると(ステップ33でＹＥＳ)，クリックされたページ画像に対応するページ画像が削除される(ステップ35)。
【０１２９】
ページ画像一覧ウインドウ40に含まれる一覧表示ボタン46がクリックされると(ステップ114でＹＥＳ)，新しいページ画像が追加されているので，追加された新しいページ画像を挟む２つのページ画像(新しいページ画像に隣接しているページ画像)に対応する領域を仕切る仕切り線が追加される(ステップ115)。たとえば，ページ画像Ｐ２とページ画像Ｐ３との間に新しいページ画像ＰＡが追加された場合には，図23に示すように，ページ画像Ｐ２に対応する領域122とページ画像Ｐ３に対応する領域123との間を仕切る仕切り線133が追加される。
【０１３０】
実施例７によると，仕切り線が表示されるので，ページ画像に利用できる画像がページ画像と対応づけられて理解できるようになる。
【０１３１】
［実施例８］
図24から図26は，実施例８を示している。
【０１３２】
図24は，ページ画像表示制御システム１の処理手順の一部を示している。図24に示す処理は，図２のステップ21から図３のステップ30の処理につづいて行われる。
【０１３３】
図７に示すように，複数のページ画像Ｐ１からＰ10が表示され(ステップ141)，ページ画像追加指示領域41およびページ画像削除指示領域42が表示される(ステップ142)。
【０１３４】
ページ画像追加指示領域41がクリックされずに(ステップ143でＮＯ)，ページ画像削除指示領域42がクリックされると(ステップ144でＹＥＳ)(ページ画像追加指示領域41がクリックされてページ画像削除指示領域42がクリックされてもよい)，クリックされたページ画像削除指示領域42に対応するページ画像がＣＰＵ２によって削除される(ステップ145)。
【０１３５】
図25は，ページ画像一覧ウインドウ40に表示されるページ画像Ｐ１からＰ10のうち，ページ画像Ｐ６からＰ８を，図７に比較して拡大して表示している。
【０１３６】
たとえば，ページ画像Ｐ７の右上に表示されているページ画像削除指示領域42がクリックされたとすると，ページ画像Ｐ７が削除される。
【０１３７】
ページ画像が削除されると，その削除されたページ画像に割り当てられていたシーンが
，削除されたページ画像を挟んでいた第１のページ画像および第２のページ画像の少なくとも一方のページ画像にＣＰＵ２によって追加して割り当てられる(ステップ146)。たとえば，ページ画像Ｐ７が削除されたとすると，図25に示すように，ページ画像Ｐ７を挟んでいたページ画像Ｐ６およびページ画像Ｐ８の少なくとも一方のページ画像に，ページ画像Ｐ７に割り当てられていたシーンが追加される。図６に示すように，ページ画像Ｐ７に割り当てられていたシーンはシーンＳ９およびＳ10であり，ページ画像Ｐ６に割り当てられているシーンはシーンＳ８であり，ページ画像Ｐ８に割り当てられているシーンはシーンＳ11である。ページ画像Ｐ７に割り当てられていたシーンが，ページ画像Ｐ６に追加して割り当てられるのであれば，図26に示すように，ページ画像Ｐ６に割り当てられるシーンは，シーンＳ８，Ｓ９およびＳ10となり，ページ画像Ｐ８に割り当てられるシーンはシーンＳ11で変わらない。ページ画像Ｐ７に割り当てられていたシーンが，ページ画像Ｐ８に追加して割り当てられるのであれば，ページ画像Ｐ８に割り当てられるシーンは，シーンＳ９，Ｓ10およびＳ11となり，ページ画像Ｐ６に割り当てられるシーンはシーンＳ８で変わらない。ページ画像Ｐ７に割り当てられていたシーンＳ９およびＳ10のうち，シーンＳ９がページ画像Ｐ６に追加して割り当てられ，シーンＳ10がページ画像Ｐ８に追加して割り当てられるのであれば，ページ画像Ｐ６に割り当てられるシーンは，シーンＳ８およびＳ９となり，ページ画像Ｐ８に割り当てられるシーンは，シーンＳ10およびＳ11となる。
【０１３８】
このように割り当てられるシーンが追加されると，すでに割り当てられているシーンに含まれている画像と追加されたシーンに含まれている画像とを用いて，削除されたページ画像を挟む第１のページ画像および第２のページ画像のうち，シーンが追加されたページ画像がＣＰＵ２によって生成される(ステップ147)。
【０１３９】
実施例８によると，ページ画像が削除されても，その削除されたページ画像を挟んでいた２つのページ画像のシーンの急激な変化を未然に防止できる。
【０１４０】
［実施例９］
図27および図28は，実施例９を示している。
【０１４１】
図27は，ページ画像表示制御システム１の処理手順の一部を示すフローチャートである。このフローチャートは，ページ画像削除指示領域42がクリックされたことにより開始される。図28は，ページ画像テーブルの一例である。
【０１４２】
ページ画像削除指示領域42がクリックされると，クリックされたページ画像削除指示領域42に対応したページ画像が削除される(ステップ151)。削除されたページ画像に割り当てられていたシーンが，削除されたページ画像以外の他のページ画像にも割り当てられていた場合には(ステップ152でＹＥＳ)，削除されたページ画像に割り当てられていたシーンに含まれる画像がＣＰＵ２によって抽出され，抽出された画像を用いて，他のページ画像が生成し直される(ステップ153)。
【０１４３】
たとえば，図28に示すように，ページ画像Ｐ７にはシーンＳ９およびＳ10が割り当てられ，ページ画像Ｐ８にはシーンＳ10およびＳ11が割り当てられているものとする。シーンＳ10は，ページ画像Ｐ７とページ画像Ｐ８との両方に割り当てられている。このような状態で，ページ画像Ｐ７が削除されたとすると，削除されたページ画像Ｐ７に割り当てられていたシーンＳ10に含まれる画像からＣＰＵ２によって画像が抽出され，抽出された画像を用いて他のページ画像Ｐ８が生成し直される。
【０１４４】
実施例９によると，削除されたページ画像に割り当てられていたシーンに含まれている画像から画像を抽出し，抽出した画像を用いて他のページ画像が生成されるから，他のペ
ージ画像には，良好な画像が抽出し直されて貼付される可能性が生じる。
【０１４５】
［実施例10］
図29および図30は，実施例10を示している。
【０１４６】
図29は，ページ画像表示制御システム１の処理手順の一部を示すフローチャートである。このフローチャートは，ページ画像削除指示領域42がクリックされたことにより開始される。
【０１４７】
ページ画像削除指示領域42がクリックされると，クリックされたページ画像削除指示領域42に対応するページ画像が削除される(ステップ161)。ユーザは，削除されたページ画像を挟んでいた２つのページ画像を含む複数のページ画像を，マウス４(ページ画像指定手段)を用いて指定する(ステップ162)。もっとも，ユーザが指定せずにＣＰＵ２によって複数のページ画像を決定してもよい。
【０１４８】
すると，削除されたページ画像に割り当てられていたシーンおよび指定(決定)された複数のページ画像に割り当てられている複数のシーンのそれぞれを，指定(決定)された複数のページ画像に割り当て直す処理がＣＰＵ２によって行われる(ステップ163)。割り当て直されたシーンに含まれる画像を用いて，指定(決定)された複数のページ画像のそれぞれのページ画像がＣＰＵ２によって生成される(ステップ164)。
【０１４９】
ページ画像Ｐ７が削除され，複数のページ画像としてページ画像Ｐ５，Ｐ６，Ｐ８，Ｐ９およびＰ10が指定されたものとする。図６に示すように，ページ画像Ｐ５にはシーンＳ７が割り当てられ，ページ画像Ｐ６にはシーンＳ８が割り当てられ，ページ画像Ｐ７にはシーンＳ９およびＳ10が割り当てられ，ページ画像Ｐ８にはシーンＳ11が割り当てられ，ページ画像Ｐ９にはシーンＳ12が割り当てられ，ページ画像Ｐ10にはシーンＳ13，Ｓ14およびＳ15が割り当てられているものとする。すると，ページ画像Ｐ５からページ画像Ｐ10に割り当てられているシーンＳ７からシーンＳ15が，複数のページ画像Ｐ５，Ｐ６，Ｐ８，Ｐ９およびＰ10に割り当て直される。
【０１５０】
図30は，シーンが割り当て直されたページ画像テーブルの一例である。
【０１５１】
ページ画像Ｐ７が削除される前に，ページ画像Ｐ５からページ画像Ｐ10に割り当てられているシーンＳ７からシーンＳ15が，指定されたページ画像Ｐ５，Ｐ６，Ｐ８，Ｐ９およびＰ10に割り当て直されている。ページ画像Ｐ５にはシーンＳ７およびＳ８が割り当てられ，ページ画像Ｐ６にはシーンＳ９が割り当てられ，ページ画像Ｐ８にはシーンＳ10が割り当てられ，ページ画像Ｐ９にはシーンＳ11およびＳ12が割り当てられ，ページ画像Ｐ10にはシーンＳ13，Ｓ14およびＳ15が割り当てられている。新たに割り当てられたシーンに含まれる画像を用いて各ページ画像Ｐ５，Ｐ６，Ｐ８，Ｐ９およびＰ10が生成し直される。
【０１５２】
実施例10によると，ページ画像が削除されても，複数の画像に割り当てられているシーンが再度割り当て直されるから，複数のページ画像の急激なシーン変化が未然に防止される。
【０１５３】
［実施例11］
図31および図32は，実施例11を示している。
【０１５４】
図31は，ページ画像表示制御システム１の処理手順の一部を示すフローチャートである。このフローチャートは，ページ画像削除指示領域42がクリックされたことにより開始さ
れる。
【０１５５】
ページ画像削除指示領域42がクリックされると，クリックされたページ画像削除指示領域42に対応するページ画像が削除される(ステップ171)。
【０１５６】
ページ画像削除指示領域42がクリックされた後に，一覧表示ボタン46がマウス４を用いてユーザによってクリックされると(ステップ172でＹＥＳ)，図32に示すように表示装置10の表示画面には画像一覧ウインドウ120が表示される。
【０１５７】
すると，表示制御装置９によって，削除されたページ画像に貼付されていた画像の領域(削除されたページ画像に割り当てられていたシーンに対応する領域)が他の領域と区別して表示される(ステップ173)。たとえば，ページ画像Ｐ２が削除されたとする。ページ画像Ｐ２に割り当てられていたシーンは，シーンＳ３であり，ページ画像Ｐ２に貼付されていた画像ファイル名IMG061，IMG066，IMG072およびIMG073によって表される画像は，シーンＳ３に含まれる画像(画像ファイル名IMG055からIMG084によって表される画像)から抽出されたものであるから，それらの画像ファイル名IMG061，IMG066，IMG072およびIMG073によって表される画像が含まれていた領域122が他の領域121および123と区別して表示される。図22に示す例では，領域122がハッチングで表されることにより，他の領域121および123と区別して表示されている。領域122だけを暗くしてもよいし，領域122だけを明るくしてもよいし，領域122の背景色を変えてもよい。
【０１５８】
実施例11によると，ユーザは，どのシーンに対応するページ画像が削除されたかが分かる。
【０１５９】
上述した実施例によると，キーボード３やマウス４を備えたページ画像表示制御システム１について説明したが，キーボード３やマウス４を備えていないスマートフォン，タブレット端末などのスマート・ディバイスにより実施してもよい。スマート・ディバイスにより上述した処理を実施する場合には，スマート・ディバイスに形成されているタッチ・パネルを利用してコマンド等の入力が行われることとなろう。
【符号の説明】
【０１６０】
１  ページ画像表示制御システム，２  ＣＰＵ，３  キーボード，４  マウス，５  入力制御装置，６  ハードディスク・ドライブ，７  ハードディスク，８  メモリ，９  表示制御装置，10  表示装置，11  メモリ・カード・リーダ・ライタ，12  メモリ・カード，13  CD-ROMドライブ，14  CD-ROM，15  通信装置，40  ページ画像一覧ウインドウ，41  ページ画像追加指示領域  42  ページ画像削除指示領域，43  初期ウインドウ表示ボタン，44  ウインドウ戻りボタン，  45  アルバム情報表示領域，46  一覧表示ボタン，120  画像一覧ウインドウ，121  領域，122  領域，123  領域，124  スクロール・ボタン，125  上矢印ボタン，126  下矢印ボタン，127  ページ一覧表示領域，128  キャンセル・ボタン，131  仕切り線，132  仕切り線，133  仕切り線，Ａｒ１  画像貼付領域，Ａｒ２  画像貼付領域，Ａｒ３  画像貼付領域，Ａｒ４  画像貼付領域，Ａｒ５  画像貼付領域，IMG001-IMG500  画像ファイル名，Ｐ１-Ｐ10  ページ画像  Ｓ１-Ｓ15  シーン
【図１】
2020144874.tif 000003
【図２】
2020144874.tif 000004
【図３】
2020144874.tif 000005
【図４】
2020144874.tif 000006
【図５】
2020144874.tif 000007
【図６】
2020144874.tif 000008
【図７】
2020144874.tif 000009
【図８】
2020144874.tif 000010
【図９】
2020144874.tif 000011
【図１０】
2020144874.tif 000012
【図１１】
2020144874.tif 000013
【図１２】
2020144874.tif 000014
【図１３】
2020144874.tif 000015
【図１４】
2020144874.tif 000016
【図１５】
2020144874.tif 000017
【図１６】
2020144874.tif 000018
【図１７】
2020144874.tif 000019
【図１８】
2020144874.tif 000020
【図１９】
2020144874.tif 000021
【図２０】
2020144874.tif 000022
【図２１】
2020144874.tif 000023
【図２２】
2020144874.tif 000024
【図２３】
2020144874.tif 000025
【図２４】
2020144874.tif 000026
【図２５】
2020144874.tif 000027
【図２６】
2020144874.tif 000028
【図２７】
2020144874.tif 000029
【図２８】
2020144874.tif 000030
【図２９】
2020144874.tif 000031
【図３０】
2020144874.tif 000032
【図３１】
2020144874.tif 000033
【図３２】
2020144874.tif 000034